(57)【要約】【課題】点灯装置のコンデンサの長寿命化を図る。【解決手段】点灯装置４０は、ブリッジダイオードＤＢ１と、コンデンサＣ１と、出力回路４１と、制御部４２とを備える。ブリッジダイオードＤＢ１は、交流電源ＡＣから入力される交流電圧を整流して脈流電圧を出力する。コンデンサＣ１は、ブリッジダイオードＤＢ１より出力される脈流電圧を平滑して直流電圧を出力する。出力回路４１は、コンデンサＣ１より出力される直流電圧によって駆動され、定電流を光源部５０へ出力する。制御部４２は、コンデンサＣ１の電圧および電流の少なくともいずれかに含まれるリップル成分の大きさを閾値と比較し、比較結果に応じて出力回路４１より出力される電流の大きさを調整する。【選択図】図１
2018006179.tif 000002
【特許請求の範囲】
【請求項１】
負荷回路に接続して使用される点灯装置において、
前記負荷回路に対して定電流を供給する給電部と、
脈流電圧を平滑して、前記負荷回路および前記給電部のいずれか一方に印加される平滑電圧を出力する少なくとも１つのコンデンサと、
前記少なくとも１つのコンデンサから出力された平滑電圧に含まれている残留リップル成分の大きさに応じて、前記給電部から前記負荷回路に流れる前記定電流の大きさを調整する制御部と
を備えた点灯装置。
【請求項２】
前記少なくとも１つのコンデンサには、第１脈流電圧を平滑して、前記給電部に印加される第１平滑電圧を出力する第１コンデンサが含まれ、
前記点灯装置は、
前記第１平滑電圧に含まれている第１残留リップル成分の大きさを示す値を検出し、検出結果を前記制御部へ出力する第１検出部をさらに備え、
前記制御部は、
前記第１検出部から出力された検出結果に応じて、前記給電部から前記負荷回路に流れる前記定電流の大きさを調整する請求項１に記載の点灯装置。
【請求項３】
交流電圧を整流する整流部をさらに備え、
前記第１脈流電圧は、前記整流部から出力された脈流電圧である請求項２に記載の点灯装置。
【請求項４】
前記第１検出部は、
前記第１残留リップル成分の大きさを示す値として、前記第１残留リップル成分の最低値を検出する請求項２または３に記載の点灯装置。
【請求項５】
前記第１検出部は、
前記第１残留リップル成分の大きさを示す値として、前記第１残留リップル成分の平均値を検出する請求項２または３に記載の点灯装置。
【請求項６】
前記制御部は、
前記第１残留リップル成分の大きさを示す値が第１閾値よりも小さいかどうかを判定し、前記第１閾値よりも小さいと判定した場合、前記給電部から前記負荷回路に流れる前記定電流を低減させる請求項４または５に記載の点灯装置。
【請求項７】
前記第１検出部は、
前記第１残留リップル成分の大きさを示す値として、前記第１残留リップル成分の最高値と最低値との差を検出する請求項２または３に記載の点灯装置。
【請求項８】
前記制御部は、
前記第１残留リップル成分の大きさを示す値が第１閾値よりも大きいかどうかを判定し、前記第１閾値よりも大きいと判定した場合、前記給電部から前記負荷回路に流れる前記定電流を低減させる請求項７に記載の点灯装置。
【請求項９】
前記第１残留リップル成分は、リップル電圧またはリップル電流である請求項２から８のいずれか１項に記載の点灯装置。
【請求項１０】
前記少なくとも１つのコンデンサには、第２脈流電圧を平滑して、前記負荷回路に印加される第２平滑電圧を出力する第２コンデンサが含まれ、
前記点灯装置は、
前記第２平滑電圧に含まれている第２残留リップル成分の大きさを示す値を検出し、検出結果を前記制御部へ出力する第２検出部をさらに備え、
前記制御部は、
前記第２検出部から出力された検出結果に応じて、前記給電部から前記負荷回路に流れる前記定電流の大きさを調整する請求項１から９のいずれか１項に記載の点灯装置。
【請求項１１】
前記第２脈流電圧は、前記給電部から出力された脈流電圧である請求項１０に記載の点灯装置。
【請求項１２】
前記第２検出部は、
前記第２残留リップル成分の大きさを示す値として、前記第２残留リップル成分の最低値を検出する請求項１０または１１に記載の点灯装置。
【請求項１３】
前記第２検出部は、
前記第２残留リップル成分の大きさを示す値として、前記第２残留リップル成分の平均値を検出する請求項１０または１１に記載の点灯装置。
【請求項１４】
前記制御部は、
前記第２残留リップル成分の大きさを示す値が第２閾値よりも小さいかどうかを判定し、前記第２閾値よりも小さいと判定した場合、前記給電部から前記負荷回路に流れる前記定電流を低減させる請求項１２または１３に記載の点灯装置。
【請求項１５】
前記第２検出部は、
前記第２残留リップル成分の大きさを示す値として、前記第２残留リップル成分の最高値と最低値との差を検出する請求項１０または１１に記載の点灯装置。
【請求項１６】
前記制御部は、
前記第２残留リップル成分の大きさを示す値が第２閾値よりも大きいかどうかを判定し、前記第２閾値よりも大きいと判定した場合、前記給電部から前記負荷回路に流れる前記定電流を低減させる請求項１５に記載の点灯装置。
【請求項１７】
前記第２残留リップル成分は、リップル電圧またはリップル電流である請求項１０から１６のいずれか１項に記載の点灯装置。
【請求項１８】
請求項１から１７のいずれか１項に記載の点灯装置と、
前記負荷回路である光源部と
を備えた照明具。
【請求項１９】
請求項１８に記載の照明具と、
前記照明具が装着された照明器具と
を備えた照明装置。
【請求項２０】
請求項１から１７のいずれか１項に記載の点灯装置と、
前記負荷回路である光源部と
を備えた照明装置。
【発明の詳細な説明】
【技術分野】
【０００１】
本発明は、点灯装置、照明具および照明装置に関するものである。
【背景技術】
【０００２】
従来、ＬＥＤ群の通電時間を積算して通電時間が設定値を超えた場合にＬＥＤ群の通電モードを制御することで通常の照明モードとは異なる寿命予報モードでＬＥＤ群を発光させる点灯装置がある（例えば、特許文献１参照）。
【先行技術文献】
【特許文献】
【０００３】
【特許文献１】特開２００１−１３５４８３号公報
【発明の概要】
【発明が解決しようとする課題】
【０００４】
点灯装置の平滑回路等に用いられるコンデンサは、点灯装置の累積動作時間が長くなり、充放電の回数が増えるにつれて容量が減少する。コンデンサの容量が減少してくると、コンデンサに内在している等価的な直列抵抗成分（以下、等価直列抵抗という）が増加する。すなわち、コンデンサに内在する等価直列抵抗を流れるリップル電流によってコンデンサが発熱し、等価直列抵抗が増加するとコンデンサの発熱量が増加する。しかし、従来の点灯装置は、コンデンサが寿命に近づいたことを検知できないため、規定の電流をＬＥＤに流し続けようと動作を継続してしまう。その結果、コンデンサの発熱量が増加し続け、コンデンサの寿命が短くなる。
【０００５】
本発明は、点灯装置のコンデンサの長寿命化を目的とする。
【課題を解決するための手段】
【０００６】
本発明の一の態様に係る点灯装置は、
負荷回路に接続して使用される点灯装置であり、
前記負荷回路に対して定電流を供給する給電部と、
脈流電圧を平滑して、前記負荷回路および前記給電部のいずれか一方に印加される平滑電圧を出力する少なくとも１つのコンデンサと、
前記少なくとも１つのコンデンサから出力された平滑電圧に含まれている残留リップル成分の大きさに応じて、前記給電部から前記負荷回路に流れる前記定電流の大きさを調整する制御部とを備える。
【発明の効果】
【０００７】
本発明では、脈流電圧を平滑するコンデンサから出力された平滑電圧に含まれている残留リップル成分の大きさに応じて、負荷回路に流れる定電流の大きさが調整される。このため、本発明によれば、点灯装置のコンデンサの長寿命化が可能となる。
【図面の簡単な説明】
【０００８】
【図１】実施の形態１に係る照明具の構成を示す概略回路図。
【図２】実施の形態１に係る点灯装置のコンデンサの両端子間の電圧の波形図。
【図３】実施の形態１に係る点灯装置の使用時間に対するコンデンサの容量の減少率、コンデンサの出力に含まれるリップル電圧の最低値、および、給電部から出力される定電流のそれぞれの推移を示すグラフ。
【図４】実施の形態１に係る点灯装置の第１検出部の構成を示すブロック図。
【図５】実施の形態１に係る照明装置の斜視図および照明具の斜視図。
【図６】実施の形態２に係る点灯装置の第１検出部の構成を示すブロック図。
【図７】実施の形態３に係る点灯装置の第１検出部の構成を示すブロック図。
【図８】実施の形態４に係る照明具の構成を示す概略回路図。
【図９】実施の形態５に係る照明装置の斜視図、照明装置の分解斜視図、および、照明具の斜視図。
【図１０】実施の形態６に係る照明装置の斜視図および照明具の斜視図。
【発明を実施するための形態】
【０００９】
以下、本発明の実施の形態について、図を用いて説明する。なお、各図中、同一または相当する部分には、同一符号を付している。実施の形態の説明において、同一または相当する部分については、その説明を適宜省略または簡略化する。
【００１０】
実施の形態１．
本実施の形態について、図１から図５を用いて説明する。
【００１１】
＊＊＊照明具の構成の説明＊＊＊
以下、図１を参照して、本実施の形態に係る照明具１１の構成について説明する。
【００１２】
図１に示すように、照明具１１は、交流電源ＡＣから入力される交流電力を直流電力に変換する点灯装置４０と、点灯装置４０と接続される負荷回路であり、直流電力が入力されることによって点灯する光源部５０とを備える。
【００１３】
点灯装置４０は、整流部４５、第１コンデンサであるコンデンサＣ１、給電部４６、第２コンデンサであるコンデンサＣ３、制御部４２、第１検出部４３、および、第２検出部４４を備える。
【００１４】
整流部４５は、交流電源ＡＣから点灯装置４０の給電端子３４を経由して入力される交流電圧を整流して脈流電圧を出力する。整流部４５は、具体的には、ブリッジダイオードＤＢ１である。本実施の形態では、全波整流方式を採用しているが、半波整流方式を採用してもよい。本実施の形態では、交流電源ＡＣは、商用電源等の外部電源に相当する。
【００１５】
第１コンデンサであるコンデンサＣ１は、整流部４５より出力される脈流電圧を平滑して直流電圧を出力する。すなわち、コンデンサＣ１は、脈流電圧に含まれる脈流成分を除去して安定した直流電圧を生成する。本実施の形態において、コンデンサＣ１は、具体的には、電解コンデンサである。どの程度の容量のコンデンサＣ１を使用するかは、負荷回路である光源部５０に供給する電流、給電部４６の出力回路４１の能力等に応じて適宜決定される。本実施の形態では、正常な製品状態における容量が１２μＦ（マイクロファラド）である電解コンデンサを使用している。なお、コンデンサＣ１の実装形態は限定されない。
【００１６】
給電部４６は、出力回路４１を含んで構成される電力変換回路である。
【００１７】
出力回路４１は、コンデンサＣ１から出力された平滑電圧である直流電圧によって駆動され、定電流を負荷回路である光源部５０へ出力する。すなわち、出力回路４１は、ブリッジダイオードＤＢ１である整流部４５によって交流電圧から変換され、コンデンサＣ１によって平滑された安定した直流電圧が入力されて、負荷回路である光源部５０の発光素子５１に定電流を流す。出力回路４１は、具体的には、スイッチング回路であり、発光素子５１を駆動するための電界効果トランジスタ等のスイッチング素子を内蔵している。
【００１８】
第２コンデンサであるコンデンサＣ３は、出力回路４１より出力される定電流に含まれるノイズ成分、あるいは、整流部４５より出力される脈流電圧に含まれ出力側へ漏洩する脈流成分を除去して安定した定電流を生成する。本実施の形態において、コンデンサＣ３は、具体的には、電解コンデンサである。どの程度の容量のコンデンサＣ３を使用するかは、負荷回路である光源部５０に供給する電流、出力回路４１の能力等に応じて適宜決定される。本実施の形態では、正常な製品状態における容量が２．２μＦである電解コンデンサを使用している。なお、コンデンサＣ３の実装形態は限定されない。
【００１９】
制御部４２は、コンデンサＣ１およびコンデンサＣ３の少なくともいずれかの出力に含まれる残留リップル成分の大きさに対応した制御信号Ｓｃを出力して出力回路４１から出力される定電流の大きさを調整する。本実施の形態では、残留リップル成分の大きさを示す値は、電圧および電流の少なくともいずれかに含まれる残留リップル成分を検出することによって得られる。
【００２０】
制御部４２は、コンデンサＣ１およびコンデンサＣ３の少なくともいずれかの出力に含まれる残留リップル成分の大きさを予め設定した閾値と比較し、比較結果に応じて出力回路４１より出力される定電流の大きさを調整する。具体的には、予め設定した閾値に対して残留リップル成分が大きい場合は、制御部４２は、残留リップル成分が予め設定した閾値より小さい範囲となるように、出力回路４１より出力される定電流を減少させる。閾値は、コンデンサＣ１の仕様、コンデンサＣ３の仕様等に応じて適宜設定される。閾値は、１つであってもよいし、検出される残留リップル成分の種類に応じて複数設定されてもよい。
【００２１】
第１検出部４３は、コンデンサＣ１の出力に含まれる第１残留リップル成分Ｒｐ１が入力され、第１残留リップル成分Ｒｐ１の大きさの情報を含む第１検出信号Ｓｄ１を出力する。制御部４２は、第１検出信号Ｓｄ１が示す値を予め設定した閾値と比較し、第１残留リップル成分Ｒｐ１の大きさに対応した制御信号Ｓｃを出力する。
【００２２】
本実施の形態では、第１検出部４３は、回路、ＩＣ等により構成され、コンデンサＣ１の出力に含まれる第１残留リップル成分Ｒｐ１の大きさを示す値として、残留リップル電圧の最低値Ｖｂ１０を検出し、検出結果を示す第１検出信号Ｓｄ１を出力する。制御部４２は、第１検出信号Ｓｄ１が示す残留リップル電圧の最低値Ｖｂ１０と閾値とを比較し、比較結果に応じて出力回路４１より出力される定電流の大きさを調整する。具体的には、制御部４２は、第１検出部４３により検出された残留リップル電圧の最低値Ｖｂ１０が閾値より低い場合、出力回路４１より出力される電流を低減させる。一方、制御部４２は、第１検出部４３により検出された残留リップル電圧の最低値Ｖｂ１０が閾値以上である場合、何もしない。
【００２３】
第２検出部４４は、コンデンサＣ３の出力に含まれる第２残留リップル成分Ｒｐ２が入力され、第２残留リップル成分Ｒｐ２の大きさの情報を含む第２検出信号Ｓｄ２を出力する。制御部４２は、第２検出信号Ｓｄ２が示す値を予め設定した閾値と比較し、第２残留リップル成分Ｒｐ２の大きさに対応した制御信号Ｓｃを出力する。
【００２４】
本実施の形態では、第２検出部４４は、回路、ＩＣ等により構成され、コンデンサＣ３の出力に含まれる第２残留リップル成分Ｒｐ２として、残留リップル電圧の最低値Ｖｂ２０を検出し、検出結果を示す第２検出信号Ｓｄ２を出力する。制御部４２は、第２検出信号Ｓｄ２が示す残留リップル電圧の最低値Ｖｂ２０と閾値とを比較し、比較結果に応じて出力回路４１より出力される定電流の大きさを調整する。具体的には、制御部４２は、第２検出部４４により検出された残留リップル電圧の最低値Ｖｂ２０が閾値より低い場合、出力回路４１より出力される電流を低減させる。一方、制御部４２は、第２検出部４４により検出された残留リップル電圧の最低値Ｖｂ２０が閾値以上である場合、何もしない。
【００２５】
本実施の形態において、出力回路４１は、スイッチング素子を内蔵してパッケージ化した集積回路である。出力回路４１は、具体的には、第１端子として第１電源端子Ｐ１、第２端子としてスイッチング素子のソース端子Ｐ２、第３端子として第２電源端子Ｐ３、第４端子としてＬＥＤ温度補償等の調整用入力端子Ｐ４、第５端子として補助電源端子Ｐ５、第６端子および第７端子として接地端子Ｐ６，Ｐ７、第８端子としてドレイン端子Ｐ８、第９端子として制御部４２より制御信号Ｓｃが入力される制御入力端子Ｐ９を有する。なお、出力回路４１は、これらの端子以外に種々の入出力端子を有してもよい。また、制御入力端子Ｐ９と他の端子が兼用されてもよい。すなわち、制御信号Ｓｃは、制御入力端子Ｐ９以外の端子に入力されてもよい。
【００２６】
出力回路４１の第１電源端子Ｐ１は、インダクタＬ１と、コンデンサＣ１よりも小容量のコンデンサＣ２とからなるＬＣ回路を介して、コンデンサＣ１の高圧側に接続されている。インダクタＬ１とコンデンサＣ２とからなるＬＣ回路は、本実施の形態では、コンデンサＣ１で除去しきれなかったノイズ成分を取り除くためにコンデンサＣ１に接続されている。
【００２７】
出力回路４１のソース端子Ｐ２は、抵抗Ｒ１および抵抗Ｒ２の並列回路を介して、コンデンサＣ１の低圧側に接続されている。このソース端子Ｐ２は、出力回路４１に内蔵されるスイッチング素子の低圧側に相当する。
【００２８】
出力回路４１の第２電源端子Ｐ３は、コンデンサＣ５を介して、コンデンサＣ１の低圧側に接続されている。
【００２９】
出力回路４１の調整用入力端子Ｐ４は、コンデンサＣ６と、サーミスタＴＨ１および抵抗Ｒ３の直列回路との並列回路を介して、コンデンサＣ１の低圧側に接続されている。
【００３０】
出力回路４１の補助電源端子Ｐ５は、コンデンサＣ４を介して、ダイオードＤ１とインダクタＬ２とコンデンサＣ３とからなる回路に接続されている。ダイオードＤ１とインダクタＬ２とコンデンサＣ３は、出力回路４１に内蔵されるスイッチング素子とともにバックコンバータを構成する。このバックコンバータは、光源部５０に備えられた発光素子５１の直列回路に接続され、出力回路４１によって生成される駆動電流を発光素子５１に流す。
【００３１】
出力回路４１の接地端子Ｐ６，Ｐ７は、接地電位に接続されている。
【００３２】
出力回路４１のドレイン端子Ｐ８は、ダイオードＤ１とインダクタＬ２とコンデンサＣ３とからなる回路に接続されている。このドレイン端子Ｐ８は、出力回路４１に内蔵されるスイッチング素子の高圧側に相当する。
【００３３】
出力回路４１の制御入力端子Ｐ９は、制御部４２の出力端子と接続されている。
【００３４】
コンデンサＣ１が長時間使用されて寿命に近づき、コンデンサＣ１の容量が減少してくると、コンデンサＣ１を流れる電流のリップル成分が増加するため、コンデンサＣ１の発熱量が増加する。しかし、本実施の形態では、制御部４２が、コンデンサＣ１の出力に含まれるリップル成分の大きさを予め設定した閾値と比較し、比較結果に応じて出力回路４１より出力される定電流の大きさを調整する。これにより、コンデンサＣ１の発熱量の増加を抑えることができるため、点灯装置４０のコンデンサＣ１の長寿命化が可能となり、ひいては点灯装置４０の長寿命化が可能となる。
【００３５】
コンデンサＣ３が長時間使用されて寿命に近づき、コンデンサＣ３の容量が減少してくると、コンデンサＣ３を流れる電流のリップル成分が増加するため、コンデンサＣ３の発熱量が増加する。しかし、本実施の形態では、制御部４２が、コンデンサＣ３の出力に含まれるリップル成分の大きさを予め設定した閾値と比較し、比較結果に応じて出力回路４１より出力される定電流の大きさを調整する。これにより、コンデンサＣ３の発熱量の増加を抑えることができるため、点灯装置４０のコンデンサＣ３の長寿命化が可能となり、ひいては点灯装置４０の長寿命化が可能となる。
【００３６】
＊＊＊点灯装置の動作の説明＊＊＊
以下、図２および図３を参照して、本実施の形態に係る点灯装置４０の動作について説明する。点灯装置４０の動作は、本実施の形態に係る電流制御方法に相当する。なお、以下の説明は、コンデンサＣ１の容量が減少した場合の動作についての説明である。
【００３７】
図２は、点灯装置４０のコンデンサＣ１の両端子間の電圧波形を拡大して示している。図２の（ａ）は、コンデンサＣ１の容量が１２μＦのとき、すなわち、コンデンサＣ１の正常な製品状態における両端子間の電圧波形を示している。図２の（ｂ）および（ｃ）は、それぞれコンデンサＣ１の容量が８．２μＦおよび４．７μＦまで減少したとき、すなわち、コンデンサＣ１が長時間使用され寿命末期近づいた状態における電圧波形を示している。
【００３８】
図２で示されるように、電解コンデンサは、長時間使用され徐々に寿命末期近づくにつれて徐々に容量が減少する。すなわち、容量抜けが進行する。これに伴い、電解コンデンサの両端子間電圧に含まれる残留リップル成分が徐々に大きくなる。具体的には、電解コンデンサの容量が減少する過程で、残留リップル電圧のピークレベルは概ね維持されるが、残留リップル電圧のボトムレベルは徐々に低下する。よって、残留リップル電圧の振幅は徐々に大きくなり、残留リップル電圧の平均レベルは徐々に低下する。すなわち、コンデンサＣ１の容量が１２μＦのとき、８．２μＦのとき、および、４．７μＦのときの残留リップル電圧のピークレベルをそれぞれＶｐ１、Ｖｐ２およびＶｐ３とすると、Ｖｐ１≒Ｖｐ２≒Ｖｐ３となる。これに対して、コンデンサＣ１の容量が１２μＦのとき、８．２μＦのとき、および、４．７μＦのときの残留リップル電圧のボトムレベルをそれぞれＶｂ１、Ｖｂ２およびＶｂ３とすると、Ｖｂ１＞Ｖｂ２＞Ｖｂ３となる。そして、コンデンサＣ１の容量が１２μＦのとき、８．２μＦのとき、および、４．７μＦのときの残留リップル電圧の振幅をそれぞれＶｒ１１、Ｖｒ１２およびＶｒ１３とすると、Ｖｒ１１＜Ｖｒ１２＜Ｖｒ１３となる。
【００３９】
図３は、点灯装置４０の給電部４６から出力される定電流の調整について説明するためのグラフである。図３の（ａ）は、点灯装置４０の使用時間に対するコンデンサＣ１の容量の減少率の推移を示している。図３の（ｂ）は、コンデンサＣ１の容量の減少に伴うコンデンサＣ１の出力に含まれる残留リップル電圧の最低値Ｖｂ１０の推移を示している。図３の（ｃ）は、出力回路４１から発光素子５１に出力される定電流の電流値が、コンデンサＣ１の出力に含まれる残留リップル電圧の最低値Ｖｂ１０に応じて調整される様子を示している。
【００４０】
本実施の形態では、点灯装置４０が使用されている状態で、第１検出部４３が、コンデンサＣ１の残留リップル電圧のボトムレベル、すなわち、残留リップル電圧の最低値Ｖｂ１０を検出する。そして、制御部４２が、第１検出部４３によって検出された残留リップル電圧の最低値Ｖｂ１０を閾値と比較することで、コンデンサＣ１が寿命末期の状態になったかどうかを判定する。制御部４２は、検出された残留リップル電圧の最低値Ｖｂ１０が閾値より低くなった場合、コンデンサＣ１が寿命末期の状態になったと判定し、出力回路４１から発光素子５１に出力される定電流の電流値が抑制されるように出力回路４１を制御する。
【００４１】
なお、コンデンサＣ１が寿命末期の状態になっておらず、コンデンサＣ１の容量が１２μＦからまったくあるいはほとんど下がっていない場合は、出力回路４１から発光素子５１に出力される定電流の電流値を下げると、コンデンサＣ１の電圧が上昇するため、定電流の電流値が上昇して再び正常な電流値に戻る。しかし、コンデンサＣ１が寿命末期の状態になっていて、コンデンサＣ１の容量が８．２μＦ、４．７μＦといった少ない容量になっている場合は、出力回路４１から発光素子５１に出力される定電流の電流値を下げても、コンデンサＣ１の電圧が上昇しないため、定電流の電流値が上昇せず低い電流値のままとなる。そのため、本実施の形態において、閾値は、Ｖｂ１よりも低く、かつ、Ｖｂ２およびＶｂ３よりも高い値に設定される。
【００４２】
本実施の形態における発光素子５１は、ＬＥＤである。ＬＥＤは流れる電流に応じて発光量が変わる。具体的には、ＬＥＤに流れる定電流が多ければ、ＬＥＤが明るく点灯し、光束が増加する。ＬＥＤに流れる定電流が少なければ、ＬＥＤが暗く点灯し、光束が減少する。本実施の形態では、コンデンサＣ１が寿命末期の状態になっている場合、コンデンサＣ１に負担をかけずに、発光素子５１を暗く点灯させることで、照明具１１の使用者に対し、コンデンサＣ１を含む点灯装置４０が寿命末期を迎えたことを通知できる。また、寿命末期のコンデンサＣ１の負担を減らした状態で点灯装置４０を動作させることで、コンデンサＣ１の異常発熱、急速な短寿命化等を抑制することができる。
【００４３】
なお、制御部４２は、第１検出部４３によって検出された残留リップル電圧の最低値Ｖｂ１０が低いほど、出力回路４１から発光素子５１に出力される定電流の電流値が低くなるように出力回路４１を制御してもよい。その場合、コンデンサＣ１が寿命に近づくにつれて、発光素子５１が徐々に暗くなるので、照明具１１の使用者に違和感を与えずに、すなわち、故障が発生したと誤解させることなく、点灯装置４０が寿命末期を迎えたことを通知できる。
【００４４】
あるいは、制御部４２は、第１検出部４３によって検出された残留リップル電圧の最低値Ｖｂ１０が閾値よりも低くなった場合、発光素子５１が点滅するか、または、消灯するように出力回路４１を制御してもよい。
【００４５】
以上、第１コンデンサであるコンデンサＣ１の容量が減少した場合の動作について説明したが、第２コンデンサであるコンデンサＣ３の容量が減少した場合、点灯装置４０は、第２検出部４４および制御部４２を用いて、同様の動作を行う。
【００４６】
＊＊＊第１検出部の構成の説明＊＊＊
図４を参照して、第１検出部４３の構成を説明する。
【００４７】
本実施の形態において、第１検出部４３は、第１残留リップル成分Ｒｐ１が入力される入力部４３１と、ボトムホールド機能を有する回路であるボトム検出部４３２と、第１検出信号Ｓｄ１を出力する出力部４３３とを備える。第１検出部４３は、ボトム検出部４３２を備えることによって、コンデンサＣ１の残留リップル電圧のボトムレベル、すなわち、コンデンサＣ１の残留リップル電圧の最低値Ｖｂ１０を検出することができる。なお、第１検出部４３は、ボトムホールド機能以外の機能を用いて、すなわち、残留リップル電圧の最低値Ｖｂ１０をホールドせずに、残留リップル電圧の最低値Ｖｂ１０を検出してもよい。第１検出部４３は、アナログ処理によって残留リップル電圧の最低値Ｖｂ１０を検出および出力してもよいし、検出値をデジタルデータに変換して出力してもよい。
【００４８】
第２検出部４４の構成については、第１検出部４３の構成と同様であるため、説明を省略する。
【００４９】
以上説明したように、本実施の形態に係る点灯装置４０は、光源部５０に接続して使用される。光源部５０は、負荷回路に相当する。点灯装置４０は、給電部４６と制御部４２とを備えるほか、脈流電圧を平滑して、光源部５０および給電部４６のいずれか一方に印加される平滑電圧を出力するコンデンサを少なくとも１つ備える。本実施の形態では、そのようなコンデンサの具体例として、コンデンサＣ１およびコンデンサＣ３が設けられている。給電部４６は、光源部５０に対して定電流を供給する。制御部４２は、コンデンサＣ１およびコンデンサＣ３のそれぞれから出力された平滑電圧に含まれている残留リップル成分の大きさに応じて、給電部４６から光源部５０に流れる定電流の大きさを調整する。これにより、コンデンサＣ１およびコンデンサＣ３の長寿命化が可能となる。
【００５０】
コンデンサＣ１は、第１脈流電圧を平滑して、給電部４６に印加される第１平滑電圧を出力する第１コンデンサに相当する。点灯装置４０は、第１検出部４３をさらに備える。第１検出部４３は、第１平滑電圧に含まれている第１残留リップル成分Ｒｐ１の大きさを示す値を検出する。具体的には、第１検出部４３は、第１残留リップル成分Ｒｐ１の大きさを示す値として、第１残留リップル成分Ｒｐ１の最低値を検出する。そして、第１検出部４３は、検出結果を制御部４２へ出力する。制御部４２は、第１検出部４３から出力された検出結果に応じて、給電部４６から光源部５０に流れる定電流の大きさを調整する。具体的には、制御部４２は、第１残留リップル成分Ｒｐ１の大きさを示す値が第１閾値よりも小さいかどうかを判定し、第１閾値よりも小さいと判定した場合、給電部４６から光源部５０に流れる定電流を低減させる。本実施の形態では、第１残留リップル成分Ｒｐ１は、リップル電圧である。
【００５１】
点灯装置４０は、整流部４５をさらに備える。整流部４５は、交流電圧を整流する。本実施の形態では、コンデンサＣ１によって平滑される第１脈流電圧は、整流部４５から出力された脈流電圧である。
【００５２】
コンデンサＣ３は、第２脈流電圧を平滑して、光源部５０に印加される第２平滑電圧を出力する第２コンデンサに相当する。点灯装置４０は、第２検出部４４をさらに備える。第２検出部４４は、第２平滑電圧に含まれている第２残留リップル成分Ｒｐ２の大きさを示す値を検出する。具体的には、第２検出部４４は、第２残留リップル成分Ｒｐ２の大きさを示す値として、第２残留リップル成分Ｒｐ２の最低値を検出する。そして、第２検出部４４は、検出結果を制御部４２へ出力する。制御部４２は、第２検出部４４から出力された検出結果に応じて、給電部４６から光源部５０に流れる定電流の大きさを調整する。具体的には、制御部４２は、第２残留リップル成分Ｒｐ２の大きさを示す値が第２閾値よりも小さいかどうかを判定し、第２閾値よりも小さいと判定した場合、給電部４６から光源部５０に流れる定電流を低減させる。本実施の形態では、第２残留リップル成分Ｒｐ２は、リップル電圧である。
【００５３】
本実施の形態では、コンデンサＣ３によって平滑される第２脈流電圧は、給電部４６から出力された脈流電圧である。
【００５４】
＊＊＊照明装置の構成の説明＊＊＊
以下、図５を参照して、本実施の形態に係る点灯装置４０を備えた照明装置１０の構成について説明する。
【００５５】
図５の（ａ）は、照明装置１０の斜視図であり、照明器具１２に照明具１１が装着された状態を示している。図５の（ｂ）は、照明具１１のみの斜視図である。
【００５６】
図５の（ａ）に示すように、照明装置１０は、照明具１１と、照明具１１が着脱自在に装着される照明器具１２とを備える。本実施の形態において、照明具１１は、直管ランプであり、具体的には、直管形のＬＥＤランプである。照明器具１２は、この直管形のＬＥＤランプが着脱自在に装着される直管ランプ用の器具である。照明装置１０は、固定具を介して天井に取り付けられ、照明具１１が点灯することによって床面および室内空間を照らす。なお、照明装置１０は、卓上に設置されて卓上を照らすものであってもよいし、固定具を介して壁に取り付けられるものであってもよいし、他の場所あるいは他の用途に用いられるものであってもよい。
【００５７】
照明器具１２は、器具本体２１と、給電ソケット２２と、保持ソケット２３とを備える。
【００５８】
図示していないが、器具本体２１には、スイッチボックスが収納される。スイッチボックスには、スイッチ回路が収納される。スイッチ回路は、スイッチが閉じた状態、すなわち、オン状態では給電ソケット２２を介して照明具１１に給電し、スイッチが開いた状態、すなわち、オフ状態では給電を停止または遮断する。
【００５９】
給電ソケット２２は、器具本体２１の長手方向の一端部に取り付けられる。給電ソケット２２は、照明具１１と電気接続される。給電ソケット２２には、照明具１１を保持する役割もある。
【００６０】
保持ソケット２３は、器具本体２１の長手方向の他端部に取り付けられる。保持ソケット２３は、照明具１１を保持する。保持ソケット２３は、照明具１１と電気接続されてもよい。その場合、保持ソケット２３は、接地用のソケットとして機能してもよいし、給電ソケット２２と同じように給電用のソケットとして機能してもよい。
【００６１】
図５の（ｂ）に示すように、照明具１１は、長尺状の外郭部３０と、点灯装置４０と、負荷回路である光源部５０とを備える。
【００６２】
外郭部３０は、カバー３１と、給電口金３２と、非給電口金３３とを有する。
【００６３】
カバー３１は、光源部５０を覆う。カバー３１は、円筒形である。カバー３１は、押出成形が可能な樹脂材料で形成される。本実施の形態では、樹脂材料としてＰＣ（ポリカーボネート）が用いられる。これ以外に、アクリル等の透光性を有する任意の材料を用いることができる。カバー３１には、照明具１１の設計仕様に応じて、拡散、反射、演色等の機能を持たせてもよい。本実施の形態では、カバー３１は、拡散材が添加されたＰＣで形成された、光を拡散透過する乳白色管である。
【００６４】
なお、カバー３１の材料は、樹脂材料に限定されず、ガラス、または、ガラスを含む材料であってもよい。また、カバー３１は、少なくともその一部に光を照射可能な領域があればよいため、出光側の材料を透光樹脂、出光側と逆側の材料を白色高反射樹脂としてもよい。
【００６５】
給電口金３２は、カバー３１の少なくとも一端に取り付けられる。本実施の形態では、給電口金３２がカバー３１の一端に取り付けられ、非給電口金３３がカバー３１の他端に取り付けられる。給電口金３２がカバー３１の両端に取り付けられる場合、照明器具１２の保持ソケット２３としては、給電ソケット２２と同じように給電用のソケットとして機能するものが用いられる。
【００６６】
給電口金３２は、導電性を有する１対の給電端子３４と、給電端子３４が埋め込まれる筐体３５とを有する。給電端子３４と筐体３５とは、インサート成形等の方法によって一体に形成される。給電口金３２は、本実施の形態では、ＧＸ１６ｔ−５型の通電用の口金であるが、Ｇ１３型の口金等、他の種類の口金でもよい。筐体３５は、絶縁性を有する樹脂材料で形成される。
【００６７】
非給電口金３３は、給電端子３４と同じ形状を持つ１対の保持端子３６と、保持端子３６が埋め込まれる筐体３７とを有する。保持端子３６と筐体３７とは、インサート成形等の方法によって一体に形成される。非給電口金３３は、本実施の形態では、給電口金３２と同じ型の口金であるが、ＧＸ１６ｔ−５型の非通電用の口金、Ｇ１３型の口金等、他の種類の口金でもよい。筐体３７は、絶縁性を有する樹脂材料で形成される。
【００６８】
点灯装置４０は、給電口金３２を介して給電ソケット２２の接続端と電気接続される。点灯装置４０は、照明器具１２に内蔵されたスイッチ回路を介して、商用電源等の外部電源に相当する交流電源ＡＣから供給される交流電力の入力を受ける。点灯装置４０は、入力された交流電力を直流電力に変換し、点灯電力として直流電力を光源部５０に供給する。
【００６９】
本実施の形態では、点灯装置４０は、外郭部３０の長尺方向に沿って光源部５０に隣接するように配置されて給電口金３２で覆われている。なお、点灯装置４０は、外郭部３０の長尺方向の両端部に分散配置されて給電口金３２および非給電口金３３で覆われてもよい。あるいは、点灯装置４０は、光源部５０の発光しない側である裏側に配置されて光源部５０とともにカバー３１で覆われてもよい。
【００７０】
光源部５０は、複数の発光素子５１と、基板５２とを有する。
【００７１】
発光素子５１は、点灯装置４０から給電されて点灯する。本実施の形態において、発光素子５１は、ＬＥＤである。ＬＥＤとしては、４４０ｎｍ（ナノメートル）から４８０ｎｍ程度の波長の青色光を発するＬＥＤチップ上に青色光を黄色光に波長変換する蛍光体を配してパッケージ化した擬似白色ＬＥＤを用いることができる。なお、発光素子５１の数は、複数に限らず、１つであってもよい。
【００７２】
基板５２の少なくとも片面には、発光素子５１が面実装される。図示していないが、基板５２の別の片面に接触するようにヒートシンクが設置されてもよい。
【００７３】
＊＊＊実施の形態の効果の説明＊＊＊
本実施の形態では、第１コンデンサであるコンデンサＣ１の電圧に含まれる残留リップル成分の大きさに応じて、光源部５０へ出力される電流の大きさが調整される。このため、本実施の形態によれば、コンデンサＣ１の長寿命化が可能となる。
【００７４】
本実施の形態では、第２コンデンサであるコンデンサＣ３の電圧に含まれる残留リップル成分の大きさに応じて、光源部５０へ出力される電流の大きさが調整される。このため、本実施の形態によれば、コンデンサＣ３の長寿命化が可能となる。
【００７５】
本実施の形態では、電解コンデンサの寿命末期時の容量減少に合わせて、出力電流を減少させることにより、電解コンデンサの電流を減らし、電解コンデンサの発熱を抑えることができる。また、照明具１１を暗くすることにより、使用者に対し、電解コンデンサの寿命が近づいたことを知らせることができる。
【００７６】
また、本実施の形態では、カウンタを用いたり、通電時間を積算したりする必要がないため、簡素な構成によって、電解コンデンサが寿命末期を迎えていることを直接的に検出することができる。
【００７７】
＊＊＊他の構成＊＊＊
本実施の形態では、出力回路４１として、スイッチング素子を内蔵して集積されたパッケージタイプのものが用いられているが、集積されない個別の部品を電気接続した回路が用いられてもよい。
【００７８】
本実施の形態では、照明具１１が点灯装置４０を備えるが、照明器具１２が点灯装置４０を備えていてもよい。すなわち、点灯装置４０は、器具本体２１に収納されてもよい。
【００７９】
また、本実施の形態では、照明装置１０が照明具１１を１つ備えるが、照明装置１０が照明具１１を複数備えていてもよい。点灯装置４０は、それぞれの照明具１１に個別に備えられてもよいし、器具本体２１に収納されて、それぞれの照明具１１により共用されてもよい。
【００８０】
点灯装置４０が、それぞれの照明具１１に個別に備えられる場合は、個々の点灯装置４０において、制御部４２が、コンデンサＣ１の電圧に含まれるリップル成分の大きさを閾値と比較し、比較結果に応じて出力回路４１より出力される電流の大きさを調整する。コンデンサＣ１が寿命末期の状態になった照明具１１がある場合は、その照明具１１に備えられた点灯装置４０の制御部４２が、その照明具１１の発光素子５１を暗く点灯させる。これにより、照明装置１０の使用者に対し、どの照明具１１の点灯装置４０が寿命末期を迎えたかどうかを知らせることができる。コンデンサＣ３についても、同様の動作を適用することで、同様の効果を得ることができる。
【００８１】
点灯装置４０が、器具本体２１に収納されて、それぞれの照明具１１により共用される場合は、共通の点灯装置４０において、制御部４２が、コンデンサＣ１の電圧に含まれるリップル成分の大きさを閾値と比較し、比較結果に応じて出力回路４１より出力される電流の大きさを調整する。コンデンサＣ１が寿命末期の状態になった場合は、器具本体２１に収納された点灯装置４０の制御部４２が、すべての照明具１１の発光素子５１を暗く点灯させる。これにより、照明装置１０の使用者に対し、点灯装置４０が寿命末期を迎えたことを知らせることができる。コンデンサＣ３についても、同様の動作を適用することで、同様の効果を得ることができる。
【００８２】
なお、複数の点灯装置４０が１つの照明空間に設置される場合には、これらの点灯装置４０に用いられる寿命末期の状態になったコンデンサＣ１のうち容量の減少率が一番大きいコンデンサＣ１を備えた点灯装置４０に合わせて、複数の点灯装置４０を連携させて電流の大きさを調整してもよい。
【００８３】
同種の照明装置１０が設置されている場合は、１つの照明空間におけるそれぞれの照明装置１０の明るさをそろえることができる。また、寿命末期の状態になっていないコンデンサＣ１を搭載した点灯装置４０あるいは照明装置１０を延命させることができる。
【００８４】
実施の形態２．
本実施の形態について、図６を用いて説明する。なお、主に実施の形態１との差異を中心に説明し、実施の形態１と共通する部分は説明を省略する。
【００８５】
図６を参照して、第１検出部４３ａの構成を説明する。第１検出部４３ａは、実施の形態１における第１検出部４３の構成を変更したものである。
【００８６】
本実施の形態において、第１検出部４３ａは、入力部４３１と、ボトム検出部４３２と、出力部４３３とのほかに、ピーク検出部４３４と、減算部４３５とを備える。
【００８７】
実施の形態１では、第１検出部４３が、第１コンデンサであるコンデンサＣ１の出力に含まれる残留リップル電圧の最低値Ｖｂ１０を検出する。一方、本実施の形態では、第１検出部４３ａが、第１コンデンサであるコンデンサＣ１の出力に含まれる残留リップル電圧の最低値Ｖｂ１０と最高値Ｖｐ１０とを検出する。具体的には、ボトム検出部４３２が残留リップル電圧の最低値Ｖｂ１０を検出し、ピーク検出部４３４が残留リップル電圧の最高値Ｖｐ１０を検出する。そして、減算部４３５が、残留リップル電圧の最高値Ｖｐ１０と最低値Ｖｂ１０との差分、すなわち、残留リップル電圧の振幅Ｖｒ１０を算出する。出力部４３３は、減算部４３５によって得られた残留リップル電圧の振幅Ｖｒ１０を示す第１検出信号Ｓｄ１を出力する。制御部４２は、第１検出信号Ｓｄ１が示す残留リップル電圧の振幅Ｖｒ１０と閾値とを比較し、比較結果に応じて出力回路４１より出力される定電流の大きさを調整する。具体的には、制御部４２は、第１検出部４３ａにより検出された残留リップル電圧の振幅Ｖｒ１０が閾値より大きい場合、出力回路４１より出力される電流を低減させる。一方、制御部４２は、第１検出部４３ａにより検出された残留リップル電圧の振幅Ｖｒ１０が閾値以下である場合、何もしない。
【００８８】
このような構成を採用することによって、残留リップル成分である残留リップル電圧の振幅Ｖｒを検出できるので、出力回路４１より出力される定電流を精度よく調整することができる。
【００８９】
以上、第１検出部４３ａの構成について、実施の形態１における第１検出部４３からの変更点を中心に説明したが、第２検出部４４の構成についても、同様の変更が可能である。また、第１コンデンサであるコンデンサＣ１の容量が減少した場合の制御部４２の動作について説明したが、第２コンデンサであるコンデンサＣ３の容量が減少した場合、制御部４２は、同様の動作を行う。
【００９０】
以上説明したように、本実施の形態に係る点灯装置４０は、第１検出部４３ａを備える。第１検出部４３ａは、第１残留リップル成分Ｒｐ１の大きさを示す値として、第１残留リップル成分Ｒｐ１の最高値と最低値との差を検出する。そして、第１検出部４３ａは、検出結果を制御部４２へ出力する。制御部４２は、第１残留リップル成分Ｒｐ１の大きさを示す値が第１閾値よりも大きいかどうかを判定し、第１閾値よりも大きいと判定した場合、給電部４６から光源部５０に流れる定電流を低減させる。本実施の形態では、第１残留リップル成分Ｒｐ１は、リップル電圧である。
【００９１】
実施の形態１における第２検出部４４の構成を第１検出部４３ａと同様のものに変更した場合、変更後の第２検出部４４は、第２残留リップル成分Ｒｐ２の大きさを示す値として、第２残留リップル成分Ｒｐ２の最高値と最低値との差を検出する。そして、変更後の第２検出部４４は、検出結果を制御部４２へ出力する。制御部４２は、第２残留リップル成分Ｒｐ２の大きさを示す値が第２閾値よりも大きいかどうかを判定し、第２閾値よりも大きいと判定した場合、給電部４６から光源部５０に流れる定電流を低減させる。本実施の形態では、第２残留リップル成分Ｒｐ２は、リップル電圧である。
【００９２】
実施の形態３．
本実施の形態について、図７を用いて説明する。なお、主に実施の形態１との差異を中心に説明し、実施の形態１と共通する部分は説明を省略する。
【００９３】
図７を参照して、第１検出部４３ｂの構成を説明する。第１検出部４３ｂは、実施の形態１における第１検出部４３の構成を変更したものである。
【００９４】
本実施の形態において、第１検出部４３ｂは、入力部４３１と、ボトム検出部４３２と、出力部４３３とのほかに、ピーク検出部４３４と、演算部４３６とを備える。
【００９５】
実施の形態１では、第１検出部４３が、第１コンデンサであるコンデンサＣ１の出力に含まれる残留リップル電圧の最低値Ｖｂ１０を検出する。一方、本実施の形態では、第１検出部４３ｂが、第１コンデンサであるコンデンサＣ１の出力に含まれる残留リップル電圧の最低値Ｖｂ１０と最高値Ｖｐ１０とを検出する。具体的には、ボトム検出部４３２が残留リップル電圧の最低値Ｖｂ１０を検出し、ピーク検出部４３４が残留リップル電圧の最高値Ｖｐ１０を検出する。そして、演算部４３６が、残留リップル電圧の最高値Ｖｐ１０と最低値Ｖｂ１０との平均、すなわち、残留リップル電圧の平均値を算出する。出力部４３３は、演算部４３６によって得られた残留リップル電圧の平均値を示す第１検出信号Ｓｄ１を出力する。制御部４２は、第１検出信号Ｓｄ１が示す残留リップル電圧の平均値と閾値とを比較し、比較結果に応じて出力回路４１より出力される定電流の大きさを調整する。具体的には、制御部４２は、第１検出部４３ｂにより検出された残留リップル電圧の平均値が閾値より小さい場合、出力回路４１より出力される電流を低減させる。一方、制御部４２は、第１検出部４３ｂにより検出された残留リップル電圧の平均値が閾値以上である場合、何もしない。
【００９６】
このような構成を採用することによって、残留リップル成分である残留リップル電圧の振幅Ｖｒに対応した情報を得られるので、出力回路４１より出力される定電流を精度よく調整することができる。
【００９７】
以上、第１検出部４３ｂの構成について、実施の形態１における第１検出部４３からの変更点を中心に説明したが、第２検出部４４の構成についても、同様の変更が可能である。また、第１コンデンサであるコンデンサＣ１の容量が減少した場合の制御部４２の動作について説明したが、第２コンデンサであるコンデンサＣ３の容量が減少した場合、制御部４２は、同様の動作を行う。
【００９８】
以上説明したように、本実施の形態に係る点灯装置４０は、第１検出部４３ｂを備える。第１検出部４３ｂは、第１残留リップル成分Ｒｐ１の大きさを示す値として、第１残留リップル成分Ｒｐ１の平均値を検出する。そして、第１検出部４３ｂは、検出結果を制御部４２へ出力する。制御部４２は、第１残留リップル成分Ｒｐ１の大きさを示す値が第１閾値よりも小さいかどうかを判定し、第１閾値よりも小さいと判定した場合、給電部４６から光源部５０に流れる定電流を低減させる。本実施の形態では、第１残留リップル成分Ｒｐ１は、リップル電圧である。
【００９９】
実施の形態１における第２検出部４４の構成を第１検出部４３ｂと同様のものに変更した場合、変更後の第２検出部４４は、第２残留リップル成分Ｒｐ２の大きさを示す値として、第２残留リップル成分Ｒｐ２の平均値を検出する。そして、変更後の第２検出部４４は、検出結果を制御部４２へ出力する。制御部４２は、第２残留リップル成分Ｒｐ２の大きさを示す値が第２閾値よりも小さいかどうかを判定し、第２閾値よりも小さいと判定した場合、給電部４６から光源部５０に流れる定電流を低減させる。本実施の形態では、第２残留リップル成分Ｒｐ２は、リップル電圧である。
【０１００】
実施の形態４．
本実施の形態について、図８を用いて説明する。なお、主に実施の形態１との差異を中心に説明し、実施の形態１と共通する部分は説明を省略する。
【０１０１】
以下、図８を参照して、本実施の形態に係る照明具１１の構成について説明する。
【０１０２】
点灯装置４０は、第１コンデンサであるコンデンサＣ１の出力に含まれる第１残留リップル成分Ｒｐ１として、コンデンサＣ１に流れるリップル電流を検出する電流検出部であるカレントトランスＣＴ１を、第２コンデンサであるコンデンサＣ３の出力に含まれる第２残留リップル成分Ｒｐ２として、コンデンサＣ３に流れるリップル電流を検出する電流検出部であるカレントトランスＣＴ２を備えている。カレントトランスＣＴ１，ＣＴ２は、１次巻線を流れるリップル電流を、それぞれ調整された１次巻線と２次巻線との巻数比率に応じた変換電流として２次巻線に流すことができる。２次巻線に流れる変換電流として得られたリップル電流は、それぞれ第１残留リップル成分Ｒｐ１および第２残留リップル成分Ｒｐ２として第１検出部４３および第２検出部４４に入力される。
【０１０３】
実施の形態１では、第１検出部４３が、第１コンデンサであるコンデンサＣ１の出力に含まれる残留リップル電圧の最低値Ｖｂ１０を検出するが、本実施の形態では、第１検出部４３が、コンデンサＣ１に流れるリップル電流の最低値Ｉｂ１０を検出する。そして、制御部４２は、実施の形態１と同様に、第１検出部４３によって検出された値と閾値とを比較することによって、コンデンサＣ１が寿命末期の状態になったかどうかを判定する。制御部４２は、判定結果に応じて出力回路４１より出力される電流の大きさを調整する。具体的には、制御部４２は、第１検出部４３によって検出されたリップル電流の最低値Ｉｂ１０が閾値より小さくなった場合、コンデンサＣ１が寿命末期の状態になったと判定し、出力回路４１から発光素子５１に出力される定電流が抑制されるように出力回路４１を制御する。一方、制御部４２は、第１検出部４３によって検出されたリップル電流の最低値Ｉｂ１０が閾値以上である場合、何もしない。
【０１０４】
なお、第１検出部４３は、コンデンサＣ１に流れるリップル電流の最低値Ｉｂ１０に代えて、コンデンサＣ１に流れるリップル電流の振幅または平均値を検出してもよい。
【０１０５】
コンデンサＣ１が寿命に近づき、コンデンサＣ１の容量が減少してくると、コンデンサＣ１に入力される電流のリップル成分が増加し、コンデンサＣ１の発熱量が増加する。しかし、本実施の形態では、制御部４２が、コンデンサＣ１の電流に含まれるリップル成分の大きさを閾値と比較し、比較結果に応じて出力回路４１より出力される電流の大きさを調整する。これにより、コンデンサＣ１の発熱量の増加を抑えることができるため、コンデンサＣ１の長寿命化が可能となる。
【０１０６】
以上、第１コンデンサであるコンデンサＣ１の容量が減少した場合の動作について説明したが、第２コンデンサであるコンデンサＣ３の容量が減少した場合、点灯装置４０は、第２検出部４４および制御部４２を用いて、同様の動作を行う。
【０１０７】
以上説明したように、本実施の形態では、第１残留リップル成分Ｒｐ１および第２残留リップル成分Ｒｐ２は、それぞれリップル電流である。
【０１０８】
実施の形態５．
本実施の形態について、図９を用いて説明する。なお、主に実施の形態１との差異を中心に説明し、実施の形態１と共通する部分は説明を省略する。
【０１０９】
図９を参照して、本実施の形態に係る点灯装置４０ａを備えた照明装置１０ａの構成を説明する。点灯装置４０ａは、実施の形態１における点灯装置４０の構成を変更したものである。照明装置１０ａは、実施の形態１における照明装置１０の構成を変更したものである。
【０１１０】
図９の（ａ）は、照明装置１０ａの斜視図であり、照明器具１２ａに照明具１１ａが装着された状態を示している。図９の（ｂ）は、照明装置１０ａの分解斜視図であり、照明器具１２ａから照明具１１ａを取り外した状態を示している。図９の（ｃ）は、照明具１１ａのみの斜視図である。照明器具１２ａは、実施の形態１における照明器具１２の構成を変更したものである。照明具１１ａは、実施の形態１における照明具１１の構成を変更したものである。
【０１１１】
本実施の形態に係る照明装置１０ａは、天井や壁等の被取付部に取り付けられる照明装置であり、長手方向に延びた長尺状の照明装置である。この照明装置１０ａは、長手方向に複数連結して用いられる場合がある。
【０１１２】
図９の（ａ）および（ｂ）に示すように、照明装置１０ａは、照明具１１ａと、照明具１１ａが着脱可能に取り付けられる照明器具１２ａとを有する。
【０１１３】
図９の（ｃ）に示すように、照明具１１ａは、台座部１１０、カバー３１ａ、点灯装置４０ａ、および、２つの連結具１１３を有する。図示していないが、照明具１１ａは、光源部であるＬＥＤモジュールをさらに有する。カバー３１ａは、実施の形態１におけるカバー３１の構成を変更したものである。
【０１１４】
台座部１１０は、長手方向に延びた板状である。図示していないが、台座部１１０は、発光素子が実装された基板が取り付けられる基板取付面部を有する。また、台座部１１０は、短手方向の端部である台座側部１１２を有する。台座側部１１２は、照明具１１ａが照明器具１２ａに取り付けられた状態で、照明器具１２ａの収納部２１１の底面部２１１ａに向かって立ち上がる。台座部１１０は、短手方向に切った断面がコ字形状である。台座部１１０は、モジュールフレームとも称される。基板取付面部には、ＬＥＤである発光素子が実装された基板を備えるＬＥＤモジュールが取り付けられる。また、基板取付面部の裏面である台座底部１１１には、ＬＥＤモジュールに電力を供給する点灯装置４０ａと、２つの連結具１１３とが取り付けられる。
【０１１５】
なお、照明具１１ａの光源としては、ＬＥＤモジュールに限らず、有機ＥＬあるいはレーザ等の発光素子を用いてもよい。
【０１１６】
点灯装置４０ａは、台座底部１１１の長手方向中央より一方側に寄せて取り付けられている。なお、点灯装置４０ａは、台座底部１１１の長手方向中央に取り付けられていても構わない。
【０１１７】
２つの連結具１１３は、台座底部１１１の長手方向の両端側にそれぞれ取り付けられている。連結具１１３は、後述する照明器具１２ａが備える板ばね２７と係合し、照明具１１ａを照明器具１２ａに固定する。
【０１１８】
なお、連結具１１３については、照明具１１ａの形状に応じて設置される数を変更することができる。照明具１１ａの長手方向の寸法が小さい場合は、長手方向の一端部のみに連結具１１３を設置し、他端部はフック等で固定する機構を採用してもよい。照明具１１ａの長手方向の寸法が大きい場合は、長手方向の両端部と中央部に連結具１１３を設置してもよい。中央部に連結具１１３を設置する場合は、連結具１１３および連結具１１３に対応し照明器具１２ａに配置される板ばね２７が、点灯装置４０ａと干渉しない位置が選択される。
【０１１９】
カバー３１ａは、基板を覆う。カバー３１ａは、長手方向に延びたカバー立設部３１０を有する。カバー３１ａは、カバー立設部３１０が台座部１１０の短手方向の端部である台座側部１１２を覆うように台座部１１０に取り付けられる。また、カバー３１ａは、台座部１１０に取り付けられたＬＥＤモジュールを覆うように台座部１１０に取り付けられる。
【０１２０】
点灯装置４０ａには、第２電源配線１１５が接続される。第２電源配線１１５は、先端部に第２コネクタ１１６が接続されたハーネスである。第２電源配線１１５が後述する端子台２４に接続された第１電源配線２６と接続されることにより、点灯装置４０ａは端子台２４から電力を受け取ることができる。
【０１２１】
図示していないが、点灯装置４０ａには、電力をＬＥＤモジュールに供給するための電線も接続される。この電線は、台座底部１１１に取り付けられた配線保持具１１４によって保持される。
【０１２２】
照明器具１２ａは、器具本体２１ａと、器具本体２１ａの両端部に取り付けられる器具端部２１４とを備える。器具本体２１ａは、実施の形態１における器具本体２１の構成を変更したものである。
【０１２３】
器具本体２１ａは、コ字状に折り曲げられて形成され、長手方向に延びた収納部２１１を備える。器具本体２１ａは、板金を折り曲げられて形成される。
【０１２４】
図９の（ｂ）に示すように、収納部２１１は、長手方向に延びた底面部２１１ａと、底面部２１１ａの短手方向の両端部を基端部として立ち上がる側面部２１１ｂとを備える。収納部２１１には、側面部２１１ｂの先端部を開口縁部２１０とする開口部２１１ｃが形成される。
【０１２５】
器具本体２１ａは、開口縁部２１０から取付側に向かって広がるように形成された傾斜部２１２を備える。
【０１２６】
収納部２１１の底面部２１１ａには、端子台２４と、２つの板ばね２７が設置される。端子台２４は、電源端子台であるが、信号端子台でも構わない。板ばね２７は、上述した照明具１１ａが備える連結具１１３に対応する位置に配置される。照明具１１ａが照明器具１２ａに取り付けられた状態では、照明具１１ａが備える点灯装置４０ａの少なくとも一部が開口部２１１ｃから収納部２１１に挿入される。
【０１２７】
なお、板ばね２７については、照明器具１２ａの形状に応じて設置される数を変更することができる。照明器具１２ａの長手方向の寸法が小さい場合は、長手方向の一端部のみに板ばね２７を設置し、他端部はフック等で固定する機構を採用してもよい。照明器具１２ａの長手方向の寸法が大きい場合は、長手方向の両端部と中央部に板ばね２７を設置してもよい。中央部に板ばね２７を設置する場合は、板ばね２７および板ばね２７に対応する照明具１１ａが備える連結具１１３が、照明具１１ａに取り付けられる点灯装置４０ａと干渉しない位置が選択される。
【０１２８】
図示していないが、端子台２４には、外部電源に接続される電源電線が接続される。また、図示していないが、端子台２４には、照明器具１２ａを長手方向に連結した場合に隣接する照明器具に電力や信号を送る送り電線が接続される。よって、収納部２１１内には、電源電線や送り電線等が配設される。
【０１２９】
底面部２１１ａには、電源電線を通過させる電源線挿入孔、天井等から吊り下げられている吊ボルトを挿入させるボルト挿入孔等の各種の貫通孔が形成されている。
【０１３０】
ここで、照明器具１２ａに照明具１１ａを取り付ける取り付け工程について説明する。照明器具１２ａの天井等の被取付部への取付方法としては、天井から吊り下げられている吊ボルトに固定する方法、ネジ等の固定具により直接天井に固定する方法等がある。
【０１３１】
照明器具１２ａが被取付部に取り付けられる際には、天井から引き出される電源電線、すなわち、Ｆケーブルが、電源線挿入孔を介して照明器具１２ａの収納部２１１内に引き込まれ、端子台２４に接続される。次に、板ばね２７が照明具１１ａの連結具１１３と係合させられ、照明具１１ａと照明器具１２ａとの間に作業空間が存在する状態で、端子台２４の第１電源配線２６の第１コネクタ２５と、点灯装置４０ａの第２電源配線１１５の第２コネクタ１１６とを接続する等の作業が行われる。その後、照明具１１ａが照明器具１２ａに向かって押し上げられ、照明具１１ａが照明器具１２ａに取り付けられる。このとき、照明具１１ａの長手方向の端部である照明具端部１１７は、収納部２１１の長手方向の端部である蓋部２１３と当接する。
【０１３２】
本実施の形態では、図１に示した実施の形態１の回路構成と同様の回路構成を有する点灯装置４０ａが光源一体型ベースライトに適用されているが、点灯装置４０ａは、電球形ＬＥＤランプ、電源内蔵型ダウンライト等に適用することも可能である。
【０１３３】
実施の形態６．
本実施の形態について、図１０を用いて説明する。なお、主に実施の形態１との差異を中心に説明し、実施の形態１と共通する部分は説明を省略する。
【０１３４】
図１０を参照して、本実施の形態に係る点灯装置４０ｂを備えた照明装置１０ｂの構成を説明する。点灯装置４０ｂは、実施の形態１における点灯装置４０の構成を変更したものである。照明装置１０ｂは、実施の形態１における照明装置１０の構成を変更したものである。
【０１３５】
図１０の（ａ）は、照明装置１０ｂの斜視図であり、照明器具１２ｂに照明具１１ｂが装着された状態を示している。図１０の（ｂ）は、照明具１１ｂのみの斜視図である。照明器具１２ｂは、実施の形態１における照明器具１２の構成を変更したものである。照明具１１ｂは、実施の形態１における照明具１１の構成を変更したものである。
【０１３６】
図１０の（ａ）および（ｂ）に示すように、本実施の形態では、照明具１１ｂが点灯装置４０ｂを備えるのではなく、照明器具１２ｂが点灯装置４０ｂを備えている。
【０１３７】
点灯装置４０ｂは、器具本体２１に収納されている。点灯装置４０ｂは、給電ソケット２２を介して給電口金３２と電気接続される。
【０１３８】
本実施の形態では、図１に示した実施の形態１の回路構成と同様の回路構成を有する点灯装置４０ｂを照明器具１２ｂに配した直管ＬＥＤランプ照明装置が提供されているが、点灯装置４０ｂは、電源別置型のダウンライト、街路灯等に適用することも可能である。
【０１３９】
以上、本発明の実施の形態について説明したが、これらの実施の形態のうち、いくつかを組み合わせて実施しても構わない。あるいは、これらの実施の形態のうち、いずれか１つまたはいくつかを部分的に実施しても構わない。具体的には、これらの実施の形態の説明において「部」として説明するもののうち、いずれか１つのみを採用してもよいし、いくつかの任意の組み合わせを採用してもよい。なお、本発明は、これらの実施の形態に限定されるものではなく、必要に応じて種々の変更が可能である。
【０１４０】
前述した実施の形態において、発光素子５１は、パッケージ化された面実装型（ＳＭＤ（Ｓｕｒｆａｃｅ  Ｍｏｕｎｔ  Ｄｅｖｉｃｅ）型）のＬＥＤ素子であるが、これに限定されない。発光素子５１は、基板５２上に直接実装された複数のＬＥＤチップを蛍光体含有樹脂によって一括して封止した構成であるＣＯＢ（Ｃｈｉｐ  Ｏｎ  Ｂｏａｒｄ）型であってもよい。
【０１４１】
また、前述した実施の形態において、発光素子５１は、青色ＬＥＤチップと黄色蛍光体とによって白色光を放出するように構成されているが、これに限定されない。具体例として、赤色蛍光体および緑色蛍光体を含有する蛍光体含有樹脂を用いて、これと青色ＬＥＤチップとを組み合わせることによりに白色光を放出するように構成してもよい。また、青色以外の色を発光するＬＥＤチップを用いてもよく、一例として、青色ＬＥＤチップが放出する青色光よりも短波長である紫外光を放出する紫外ＬＥＤチップを用いて、主に紫外光により励起されて青色光、赤色光および緑色光を放出する青色蛍光体粒子、緑色蛍光体粒子および赤色蛍光体粒子によって白色光を放出するように構成してもよい。
【０１４２】
前述した実施の形態では、発光素子５１がＬＥＤであるが、発光素子５１としては、固体レーザ（Ｓｏｌｉｄ  Ｓｔａｔｅ  Ｌａｓｅｒ）、半導体レーザ（Ｓｅｍｉｃｏｎｄｕｃｔｏｒ  Ｌａｓｅｒ）、有機ＥＬ（ＥｌｅｃｔｒｏＬｕｍｉｎｅｓｃｅｎｃｅ）または無機ＥＬ等の発光素子を用いてもよい。
【符号の説明】
【０１４３】
１０，１０ａ，１０ｂ  照明装置、１１，１１ａ，１１ｂ  照明具、１２，１２ａ，１２ｂ  照明器具、２１，２１ａ  器具本体、２２  給電ソケット、２３  保持ソケット、２４  端子台、２５  第１コネクタ、２６  第１電源配線、２７  板ばね、３０  外郭部、３１，３１ａ  カバー、３２  給電口金、３３  非給電口金、３４  給電端子、３５  筐体、３６  保持端子、３７  筐体、４０，４０ａ，４０ｂ  点灯装置、４１  出力回路、４２  制御部、４３，４３ａ，４３ｂ  第１検出部、４４  第２検出部、４５  整流部、４６  給電部、５０  光源部、５１  発光素子、５２  基板、１１０  台座部、１１１  台座底部、１１２  台座側部、１１３  連結具、１１４  配線保持具、１１５  第２電源配線、１１６  第２コネクタ、１１７  照明具端部、２１０  開口縁部、２１１  収納部、２１１ａ  底面部、２１１ｂ  側面部、２１１ｃ  開口部、２１２  傾斜部、２１３  蓋部、２１４  器具端部、３１０  カバー立設部、４３１  入力部、４３２  ボトム検出部、４３３  出力部、４３４  ピーク検出部、４３５  減算部、４３６  演算部、ＡＣ  交流電源、Ｃ１  コンデンサ、Ｃ２  コンデンサ、Ｃ３  コンデンサ、Ｃ４  コンデンサ、Ｃ５  コンデンサ、Ｃ６  コンデンサ、ＣＴ１  カレントトランス、ＣＴ２  カレントトランス、Ｄ１  ダイオード、ＤＢ１  ブリッジダイオード、Ｌ１  インダクタ、Ｌ２  インダクタ、Ｒ１  抵抗、Ｒ２  抵抗、Ｒ３  抵抗、Ｒｐ１  第１残留リップル成分、Ｒｐ２  第２残留リップル成分、Ｓｃ  制御信号、Ｓｄ１  第１検出信号、Ｓｄ２  第２検出信号、ＴＨ１  サーミスタ。
【図１】
2018006179.tif 000003
【図２】
2018006179.tif 000004
【図３】
2018006179.tif 000005
【図４】
2018006179.tif 000006
【図５】
2018006179.tif 000007
【図６】
2018006179.tif 000008
【図７】
2018006179.tif 000009
【図８】
2018006179.tif 000010
【図９】
2018006179.tif 000011
【図１０】
2018006179.tif 000012